(57)【特許請求の範囲】
【請求項１】
内部に放熱部品が配設される装置本体と、
上記装置本体の上部に形成された放熱部とを備え、
上記放熱部は、上記装置本体の上部に設けられた凹部と、該凹部を閉塞するように取り付けられる閉塞板とを有し、
上記凹部と上記閉塞板との間には、空間部が形成され、
上記凹部には、上記装置本体の内部と上記空間部とを連通する通気孔が形成され、
上記閉塞板には、上記空間部と外部とを連通する放熱孔が形成され、
上記通気孔と上記放熱孔とは、位置がずらされて設けられ、
上記凹部の底面は、上記装置本体の背面側から前面側に向かって降下する第１の傾斜面と、該第１の傾斜面と連続し、該第１の傾斜面と異なる傾斜角度で降下する第２の傾斜面とを有し、
上記第１の傾斜面と上記第２の傾斜面との境界の変曲部又は上記第２の傾斜面の変曲部の近傍には、排水孔が形成されている撮像装置。
【請求項２】
上記凹部には、上記通気孔に隣接して第１の立上がり壁が形成されている請求項１記載の撮像装置。
【請求項３】
上記閉塞板の裏面には、上記放熱孔に隣接して第２の立上がり壁が形成されている請求項２記載の撮像装置。
【請求項４】
上記凹部の底面の第１の傾斜面の背面側には、他の排水孔が形成され、
上記他の排水孔には、上記装置本体の底面に導く排水パイプが接続されている請求項３記載の撮像装置。
【請求項５】
上記排水孔には、上記装置本体の底面に導く排水パイプが接続されている請求項３記載の撮像装置。
【請求項６】
上記凹部の装置本体の前面側には、上記閉塞板との間に排水口が形成されている請求項１乃至請求項５のうちいずれか１項に記載の撮像装置。
【発明の詳細な説明】
【技術分野】
【０００１】
本発明は、装置本体の上部に放熱機能及び防滴機能を有する放熱部を備えた撮像装置に関する。
【背景技術】
【０００２】
撮像装置であるビデオカメラの中でも業務用のビデオカメラは、消費電力も大きく、発熱量も大きい。このためこのようなビデオカメラでは、カメラ本体部の内部に冷却ファンを設けて、強制的に放熱を行っている。しかしながら、冷却ファンにより強制的に放熱するような方法では、冷却ファンの駆動部や排気音が発生してしまう。また、このような方法では、カメラ本体部の構成が複雑となるとともに、冷却ファンを駆動するために消費電力も増えてしまう。
【０００３】
そこで、特許文献１では、側面に通気孔が形成され、冷却ファンを用いずに側面の通気孔を介して自然放熱させる電子機器について開示されている。しかしながら、特許文献１の電子機器は、側面に通気孔が形成されているので、冷却ファンによる強制的な放熱と比べて、放熱効率がよいとはいえない。
【０００４】
更に、一般に肩に担ぐタイプのビデオカメラは、屋外で使用されることが多く、雨天の時、通気孔からカメラ本体の内部に雨が入らないように防滴する必要がある。
【先行技術文献】
【特許文献】
【０００５】
【特許文献１】特開平１１−２６９６９号公報
【発明の概要】
【発明が解決しようとする課題】
【０００６】
本発明の目的は、装置本体の上部に優れた放熱機能及び防滴機能を有する放熱部を備えた撮像装置を提供することにある。
【課題を解決するための手段】
【０００７】
この目的を達成するため、本発明に係る撮像装置は、内部に放熱部品が配設される装置本体と、装置本体の上部に形成された放熱部とを備える。放熱部は、装置本体の上部に設けられた凹部と、凹部を閉塞するように取り付けられる閉塞板とを有する。凹部と閉塞板との間には、空間部が形成されている。凹部には、装置本体の内部と空間部とを連通する通気孔が形成されている。閉塞板には、空間部と外部とを連通する放熱孔が形成されている。通気孔と放熱孔とは、位置がずらされて設けられている。凹部の底面は、装置本体の背面側から前面側に向かって降下する第１の傾斜面と、第１の傾斜面と連続し、第１の傾斜面と異なる傾斜角度で降下する第２の傾斜面とを有する。第１の傾斜面と第２の傾斜面との境界の変曲部又は第２の傾斜面の変曲部の近傍には、排水孔が形成されている。
【発明の効果】
【０００８】
本発明は、装置本体の内部で放熱部品により熱せられた空気を、装置本体の上部に設けられた凹部の通気孔を介して装置本体の内部から空間部に放出した後に、通気孔とは位置がずらされて設けられた放熱孔を介して空間部から外部に放出することで、装置本体の上部から効率よく放熱することができる。また、本発明は、通気孔と放熱孔との位置がずらされて設けられているで、装置本体の上部から放熱しつつ、装置本体の内部への水滴の浸入を防止することができる。
【図面の簡単な説明】
【０００９】
【図１】本発明が適用されたビデオカメラの斜視図である。
【図２】本発明が適用されたビデオカメラの底面図である。
【図３】放熱部の斜視図である。
【図４】放熱部の凹部の斜視図である。
【図５】放熱部の断面図であり、（Ａ）は、放熱の際の空気の流れを示した図であり、（Ｂ）は、放熱部に浸入した水滴の流れを示した図である。
【図６】本体装置の側面図である。
【図７】放熱部の閉塞板の裏面図である。
【発明を実施するための形態】
【００１０】
以下、発明を実施するための最良の形態を以下の順で説明する。
１．ビデオカメラの全体構成
２．放熱部の構成
３．ビデオカメラの作用効果
４．変形例
【００１１】
以下、本発明が適用されたビデオカメラ１について、図面を参照して説明する。
〔１．ビデオカメラの全体構成〕
【００１２】
本発明が適用されたビデオカメラ１は、図１及び図２に示すように、肩に担ぐタイプの業務用のビデオカメラであり、主に、屋外で撮像する場合に用いられる。
【００１３】
ビデオカメラ１は、被写体からの光学像を装置本体１１の撮像素子に導く光学部材が内蔵されたレンズ部１０と、レンズ部１０からの光学像を電気信号に変換して映像信号を生成する装置本体１１とを備える。
【００１４】
レンズ部１０は、装置本体１１の前面１１ａに設けられ、光学部材として、被写体からの光を集光する撮像レンズ１２を有している。また、レンズ部１０は、例えば図示しないズーム機構を有しており、このズーム機構を駆動することで撮像レンズ１２の光学倍率を所定の範囲で可変することができる。
【００１５】
装置本体１１は、略直方体状のビデオカメラ１の本体を形成し、長手方向の一側面が前面１１ａとされ、上部となる天面１１ｃに、背面１１ｂ側から前面１１ａ側に向かって降下する曲面状の傾斜面を有する。装置本体１１の前面１１ａには、上述したレンズ部１０と、ビューファインダを取り付けるためのビューファインダ取付部１３とが設けられている。また、装置本体１１の天面１１ｃには、後述する放熱部１４と、取手部１５とが設けられている。更に、装置本体１１の底面１１ｄには、使用者が肩に担ぐ際のクッションとなるショルダーパット１６と、装置本体１１を三脚等に固定するための三脚取付部１７とが設けられている。更にまた、装置本体１１の背面１１ｂには、バッテリー１８が設けられている。
【００１６】
更に、装置本体１１は、撮像部となる撮像レンズ１２により集光された光を受光し光電変換することで、被写体を撮像するＣＣＤ（Charge−Coupled Device）等の図示しない受光素子を有している。装置本体１１は、例えば、撮像レンズ１２により集光された光を３原色である赤、緑及び青色の成分に分離する光学系である分光プリズムを有している。この撮像部は、分離された各色の成分に対応するようにＣＣＤが３つ設けられた、いわゆる３ＣＣＤ方式が採用されている。以上のような装置本体１１は、映像信号処理回路等でＣＣＤにより受光した光の強度に応じた映像信号を生成する。なお、受光素子には、ＣＣＤを用いることとしたがこれに限定されるものではなく、例えば効率よく光電変換を行う光電変換素子としてＣＭＯＳ（complementary metal-oxide semiconductor device）等を用いてもよい。また、３ＣＣＤも一例に過ぎない。
【００１７】
更に、装置本体１１の一方の側面１１ｅには、受光素子により撮像されて出力された映像信号を記録するための記録再生部１９が内蔵されている。記録再生部１９は、装置本体１１の背面１１ｂ側に寄せて設けられている。記録再生部１９は、フラッシュメモリ等の半導体メモリを内蔵するメモリカードが装着される装着部と、この装着部に装着されたメモリカードに対して映像信号や音声信号等の情報信号の記録再生を行うメモリカードリーダライタとを有している。したがって、装置本体１１は、映像信号をメモリカードに記録し、又はメモリカードに記録された情報を再生する機能を有する。ここでは、装置本体１１の側面１１ｅに、ＩＣカードスロットが縦に２段設けられている。
【００１８】
このような記録再生部１９は、磁気テープや光ディスク等の記録媒体が用いられる記録再生部と比べて小型であるので、装置全体として小型化を図ることができるとともに、レイアウトの自由度を向上させることができる。更に、装置本体１１は、記録再生部１９が装置本体１１の背面１１ｂ側に寄せて設けられていることで、上述したようなメモリカード以外の記録媒体を用いる場合より、装置本体１１の天面１１ｃをより傾斜の大きな形状とすることができる。よって、装置本体１１は、使用者が当該ビデオカメラ１を肩に載せた状態でビデオカメラ１側を見る、いわゆる、オーバービューする際の視野を広く設けることができる。
【００１９】
装置本体１１の他方の側面１１ｆには、図示しない、当該ビデオカメラ１の所定の機能を操作するための編集操作部と、表示部とが設けられている。これにより、使用者は、表示部を見ながら編集操作部を操作することができる。また、表示部は、例えば、液晶表示パネル、有機ＥＬパネル、ＣＲＴ等である。
【００２０】
なお、以上の例では、装置本体１１に、記録再生部１９が内蔵されているものとしたが、本発明は、装置本体１１に記録再生部１９を設けず、外部出力端子に接続された記録再生部を用いて映像信号等の情報信号の記録や再生を行うようにしてもよい。
【００２１】
取手部１５は、使用者がビデオカメラ１を持ち歩く際や、ビデオカメラ１を低い位置で用いる場合に、ビデオカメラ１を保持するために使用者が手で握ることができるように設けられている。
【００２２】
ショルダーパット１６は、装置本体１１の底面１１ｄに凹部をなして形成されており、ビデオカメラ１を肩に乗せて用いる場合に肩と当接する部分となり、使用者の肩に乗せやすくするために、柔らかな材料を用いて曲面を持たせた形状に形成されている。
【００２３】
三脚取付部１７には、三脚と装置本体１１を接続するためのねじ孔が設けられている。
【００２４】
ビューファインダ取付部１３には、ビューファインダが着脱可能に取り付けられる。ビューファインダ取付部１３は、板状の部材であり、例えば、ビューファインダの取付部と係合される係合部と、ビューファインダを係合した状態で保持するストッパ部とが形成されている。
【００２５】
バッテリー１８は、リチウムイオン電池等であり、装置本体１１の上述したズーム機構や記録再生部１９等の駆動電源となる。
【００２６】
以上のように構成された装置本体１１は、上述したズーム機構、記録再生部１９及び撮像素子や、バッテリー１８により供給される電源をこれらズーム機構、記録再生部１９及び撮像素子に所定の電力を供給する電源部等の放熱部品２０が内蔵されている。このため、上述したように装置本体１１の上部には、放熱のための放熱部１４が設けられている。
【００２７】
以上のように構成されたビデオカメラ１の上部となる天面１１ｃに設けられた放熱部１４について以下に詳細に説明する。
【００２８】
〔２．放熱部の構成〕
放熱部１４は、図３及び図４に示すように、ビデオカメラ１の天面１１ｃに設けられている。放熱部１４は、装置本体１１の天面１１ｃに設けられた凹部２１と、この凹部２１を閉塞するように取り付けられる閉塞板２２とを有する。装置本体１１の天面１１ｃは、図５に示すように、凹部２１の底面と閉塞板２２との２重構造に設けられ、凹部２１と閉塞板２２との間に空間部２３が形成されている。更に、凹部２１の装置本体１１の前面１１ａ側には、図３及び図４に示すように、閉塞板２２との間に、空間部２３と外部とを連通する排水口２４が形成されている。排水口２４は、閉塞板２２の前面１１ａ側が凹部２１の底面に設けられた閉塞板支持片２４ａに支持されることで、凹部２１の底面と閉塞板２２との間の前面１１ａ側に形成された開口であり、空間部２３と外部とを連通する。
【００２９】
凹部２１は、図４に示すように、装置本体１１の天面１１ｃに略矩形状に設けられている。凹部２１の底面は、装置本体１１の背面１１ｂ側から前面１１ａ側に向かって降下するような傾斜面２５となっている。具体的に、傾斜面２５は、装置本体１１の背面１１ｂ側に設けられた第１の傾斜面２５ａと、前面１１ａ側に設けられ、第１の傾斜面２５ａと連続し、第１の傾斜面２５ａと傾斜角度が異なる第２の傾斜面２５ｂとを有する。第１の傾斜面２５ａは、天面１１ｃの傾斜面に沿って、天面１１ｃの傾斜面と同程度の傾斜と曲面とを有する。第２の傾斜面２５ｂは、第１の傾斜面２５ａより緩斜面となっており、第１の傾斜面２５ａと装置本体１１の天面１１ｃとを連続させる。すなわち、凹部２１の底面の傾斜面２５は、第１の傾斜面２５ａと第２の傾斜面２５ｂとの境界の変曲部２５ｃで傾斜角度が異なるが、いずれも装置本体１１の背面１１ｂ側から前面１１ａ側に向かって降下するような傾斜を有する。よって、凹部２１の底面の傾斜面２５は、図４中の矢印Ａで示すように、空間部２３に浸入した水滴を、装置本体１１の前面１１ａ側に導き、排水口２４から空間部２３の外部へ排水する。なお、傾斜面２５は、曲面状の傾斜面に限定されるものではなく、平面状の傾斜面であってもよい。
【００３０】
凹部２１の底面には、装置本体１１の内部と空間部２３とを連通する通気孔２６と、通気孔２６と隣接して閉塞板２２側に向けて立ち上げられた第１の立上がり壁２７とが設けられている。また、凹部２１の底面には、第２の傾斜面２５ｂに形成された第１の排水孔２８と、第１の傾斜面２５ａの背面１１ｂ側に形成された第２の排水孔２９とが設けられている。更に、凹部２１の底面には、凹部２１と閉塞板２２とを締結する締結部３０と、表示部に表示される映像を操作する映像操作部３１と、取手部１５を装置本体１１に取り付ける取手取付部３２とが設けられている。
【００３１】
通気孔２６は、装置本体１１の長さ方向に向けて長孔状に形成されている。通気孔２６は、装置本体１１の内部で放熱部品２０により熱せられた空気を空間部２３に放出する。
【００３２】
第１の立上がり壁２７は、通気孔２６の周囲全周に亘って、閉塞板２２側に向けて立ち上げられて形成されている。第１の立上がり壁２７は、傾斜面２５と通気孔２６との仕切りとなり、傾斜面２５に導かれた水滴が通気孔２６から装置本体１１の内部へ浸入することを防止する。
【００３３】
第１の排水孔２８は、第２の傾斜面２５ｂ上の変曲部２５ｃの近傍に形成されている。第１の排水孔２８には、図６に示すように、可撓性を有する第１の排水パイプ３３が接続されている。第１の排水パイプ３３は、一端が第１の排水孔２８と接続され、他端が装置本体１１の底面１１ｄに形成された第１の底面排水孔３４に接続されている。そして、第１の排水パイプ３３は、装置本体１１のフレーム１１ｇに巻き付けるように設けられ、フレーム１１ｇに固定部材で固定されている。
【００３４】
よって、第１の排水パイプ３３は、使用者がハイアングルで撮影するとき等、凹部２１の底面の前面１１ａ側が背面１１ｂ側より高い位置に設けられたときに窪みとなる変曲部２５ｃに流れ込む水滴を、第１の排水孔２８から第１の底面排水孔３４に導き、装置本体１１の外部へ排水する。この際、第１の底面排水孔３４は、装置本体１１の底面１１ｄに設けられたショルダーパット１６より装置本体１１の前面１１ａ側に形成されている。よって、第１の底面排水孔３４は、ショルダーパット１６を介して使用者の肩を濡らさないようになっている。
【００３５】
第２の排水孔２９は、図４に示すように、第１の傾斜面２５ａの凹部２１の底面と凹部２１の背面１１ｂ側の壁面とからなる角部３５近傍に形成されている。第２の排水孔２９には、図６に示すように、可撓性を有する第２の排水パイプ３６が接続されている。第２の排水パイプ３６は、一端が第２の排水孔２９と接続され、他端が装置本体１１の底面１１ｄに形成された第２の底面排水孔３７に接続されている。そして、第２の排水パイプ３６は、装置本体１１のフレーム１１ｇに巻き付けるように設けられ、フレーム１１ｇに固定部材で固定されている。
【００３６】
よって、第２の排水パイプ３６は、使用者がハイアングルで撮影するとき等、凹部２１の底面の前面１１ａ側が背面１１ｂ側より高い位置に設けられたときに、凹部２１の底面と凹部２１の背面１１ｂ側の壁面とからなる角部３５に流れ込んだ水滴を、第２の排水孔２９から第２の底面排水孔３７に導き、装置本体１１の外部へ排水する。この際、第２の底面排水孔３７は、装置本体１１の底面１１ｄに設けられたショルダーパット１６より装置本体１１の背面１１ｂ側に形成されている。よって、第２の底面排水孔３７は、ショルダーパット１６を介して使用者の肩を濡らさないようになっている。
【００３７】
締結部３０は、図４に示すように、凹部２１と閉塞板２２とを締結するためのねじ孔であり、例えば、凹部２１の装置本体１１の一方の側面１１ｅ側に３個、他方の側面１１ｆ側に３個、合計６個形成されている。締結部３０は、ボルト等の締結部材が締結されることで、凹部２１と閉塞板２２とを締結する。
【００３８】
映像操作部３１は、再生、一時停止、早送り及び巻き戻し等の機能の操作を行う釦である。映像操作部３１は、装置本体１１の他方の側面１１ｆに設けられた表示部に表示されたメモリカードに記録された映像を、再生、一時停止、早送り及び巻き戻し等の操作を行う。よって、使用者は、ビデオカメラ１を置いたとき等に、映像操作部３１を操作することで、撮像した映像を確認することができる。
【００３９】
取手取付部３２は、取手部１５と装置本体１１のフレーム１１ｇとを固定するためのねじ孔である。取手取付部３２には、一端が装置本体１１の天面１１ｃの図示しない取付部に取り付けられた取手部１５の他端が、ボルト等の締結部材で締結される。よって、取手部１５は、装置本体１１に取り付けられる。
【００４０】
閉塞板２２は、図３及び図７に示すように、凹部２１と略同じ形状で略同じ大きさの薄板で形成され、凹部２１を閉塞する。閉塞板２２は、空間部２３と外部とを連通する放熱孔３８と、裏面に、放熱孔３８と隣接して凹部２１側に向けて立ち上げられた第２の立上がり壁３９とが設けられている。また、閉塞板２２は、凹部２１に締結するための貫通孔４０と、凹部２１の操作部を外部に露出させる操作窓４１と、凹部２１の取手取付部３２を外部に露出させる露出口４２と、裏面に、凹部２１側に突出した支持片４３とが設けられている。
【００４１】
放熱孔３８は、閉塞板２２に、閉塞板２２の幅方向に向けて長孔状に形成され、長さ方向に平行に複数形成されている。放熱孔３８は、装置本体１１の内部から通気孔２６を介して空間部２３に放出された空気を外部に放出する。更に、放熱孔３８は、図５に示すように、通気孔２６と位置がずらされて設けられている。具体的に、放熱孔３８は、天面１１ｃ側から見た際に、通気孔２６と重ならないように左右にずらされて設けられている。よって、放熱孔３８は、放熱孔３８から浸入した水滴が、直接、通気孔２６から装置本体１１の内部に浸入することを防止する。
【００４２】
第２の立上がり壁３９は、放熱孔３８の周囲の通気孔２６と対向する側に形成されている。第２の立上がり壁３９は、通気孔２６を介して装置本体１１の内部から空間部２３に放出された空気が外部に流れやすくするために、第１の立上がり壁２７とオーバーラップしないような高さに形成されている。第２の立上がり壁３９は、放熱孔３８から浸入して閉塞板２２の裏面を伝った水滴を、傾斜面２５に導くことで、放熱孔３８から浸入して閉塞板２２の裏面を伝った水滴が通気孔２６上で落下して装置本体１１の内部へ浸入することを防止する。
【００４３】
貫通孔４０は、凹部２１の締結部３０に対応する位置に設けられている。閉塞板２２は、貫通孔４０を凹部２１の締結部３０と一致させた後に、ボルト等の締結部材を貫通孔４０を介して凹部の締結部３０に締結させることで、凹部２１に締結される。
【００４４】
操作窓４１は、凹部２１の操作部を外部に露出させる開口部４１ａと、凹部２１に回動可能に支持され、開口部４１ａを開放及び閉塞させる蓋部４１ｂとを有する。操作窓４１は、使用者によって蓋部４１ｂを開放するように回動されることで、開口部４１ａから凹部２１の映像操作部３１を外部に露出させる。
【００４５】
露出口４２は、凹部２１の取手取付部３２に対応する位置に設けられている。よって、露出口４２は、凹部２１の取手取付部３２を外部に露出させる。
【００４６】
支持片４３は、例えば、第２の立上がり壁３９と一体に設けられ、それぞれ傾斜面２５と当接するような高さで、長さ方向に所定の間隔をおいて形成されている。支持片４３は、凹部２１の底面と当接されて閉塞板２２を支持し、閉塞板２２の剛性を高め、機械的強度を向上させている。
【００４７】
以上のような閉塞板２２は、合成樹脂をモールド成型することで形成されている。閉塞板２２は、金属等を用いたものと比べて熱伝導率が低い合成樹脂等で形成されることで、金属等に比べて通気孔２６から放出された空気によって熱せられても、高温にならないようにしている。
【００４８】
以上のような構成を有する放熱部１４は、図５（Ａ）中の矢印Ｂで示すように、装置本体１１の内部で放熱部品２０により熱せられた空気を、装置本体１１の天面１１ｃに設けられた凹部２１の通気孔２６を介して、装置本体１１の内部から空間部２３に放出した後に、空間部２３から放熱孔３８を介して外部に放出する。このようにして、放熱部１４は、装置本体１１の上部から自然放熱させ、装置本体１１の内部を冷却する。
【００４９】
更に、放熱部１４は、放熱孔３８から水滴等が浸入された場合、図５（Ｂ）中の矢印Ｃで示すように、放熱孔３８と通気孔２６とが位置をずらして設けられているので、傾斜面２５に水滴を導く。更に、放熱部１４は、放熱孔３８から浸入して閉塞板２２の裏面を伝う水滴を、第２の立上がり壁３９により、傾斜面２５に落下させ、水滴を傾斜面２５に導く。この際、放熱部１４は、第１の立上がり壁２７により、傾斜面２５に導かれた水滴が通気孔２６から装置本体１１の内部に浸入することを防止する。
【００５０】
そして、放熱部１４は、傾斜面２５に導かれた水滴を、使用者が略水平方向やローアングルで撮影するとき等は、傾斜面２５によって装置本体１１の前面１１ａ側に導き、排水口２４から空間部２３の外部に排水する。また、放熱部１４は、使用者がハイアングルで撮影するとき等は、傾斜面２５に導かれた後に変曲部２５ｃに流れ込む水滴を、第１の排水孔２８から第１の底面排水孔３４に導き、装置本体１１の外部に排水する。更に、放熱部１４は、使用者がハイアングルで撮影するとき等は、凹部２１の底面と凹部２１の背面１１ｂ側の壁面とからなる角部３５に流れ込んだ水滴を、第２の排水孔２９から第２の底面排水孔３７に導き、それぞれ装置本体１１の外部に排水する。
【００５１】
〔３．ビデオカメラの作用効果〕
以上のように本発明に係るビデオカメラ１は、装置本体１１の内部で熱せられた空気を、装置本体１１の上部となる天面１１ｃに設けられた凹部２１の通気孔２６を介して、装置本体１１の内部から空間部２３に放出した後に、空間部２３から放熱孔３８を介して外部に放出することで、装置本体１１の上部から放熱することができ、放熱効率の向上を図ることができる。更に、本発明に係るビデオカメラ１は、冷却ファンを用いずに自然冷却することで、部品点数の削減、騒音の低減及び消費電力の抑制を図ることができる。
【００５２】
更に、本発明に係るビデオカメラ１は、放熱孔３８と通気孔２６とが位置をずらして設けられているので、放熱孔３８から浸入された水滴を傾斜面２５に導くことができ、放熱孔３８から浸入された水滴が、直接、通気孔２６から装置本体１１の内部に浸入することを防止することができる。
【００５３】
更に、本発明に係るビデオカメラ１は、凹部２１の底面に通気孔２６に隣接して第１の立上がり壁２７が形成されているので、傾斜面２５に導かれた水滴が通気孔２６から装置本体１１の内部に浸入することを防止することができる。
【００５４】
更に、本発明に係るビデオカメラ１は、閉塞板２２の裏面に放熱孔３８に隣接して第２の立上がり壁３９が形成されているので、放熱孔３８から浸入して閉塞板２２の裏面を伝う水滴を傾斜面２５に落下させ、水滴を傾斜面２５に導くことができ、水滴が装置本体１１の内部に浸入することを防止することができる。
【００５５】
更に、本発明に係るビデオカメラ１は、凹部２１の底面が装置本体１１の背面１１ｂ側から前面１１ａ側に向かって降下するような傾斜面２５であり、装置本体１１の前面１１ａ側の凹部２１と天面１１ｃとの間に排水口２４が形成されているので、傾斜面２５に導かれた水滴を、傾斜面２５によって装置本体１１の前面１１ａ側に導き、排水口２４から空間部２３の外部に排水することができる。
【００５６】
更に、本発明に係るビデオカメラ１は、メモリカードを記録媒体として用いた他の記録媒体を用いたものより小型化が可能な記録再生部１９を装置本体１１の背面１１ｂ側に寄せて設けることで、メモリカード以外の他の記録媒体を用いる場合より、傾斜面２５をより傾斜の大きな形状とすることができ、傾斜面２５に導かれた水滴を、装置本体１１の前面１１ａ側に導き易くすることができる。
【００５７】
更に、本発明に係るビデオカメラ１は、使用者がハイアングルで撮影するときであっても、傾斜面２５に導かれた後に変曲部２５ｃに流れ込んだ水滴を、第１の排水孔２８から第１の底面排水孔３４に導き、装置本体１１の外部に排水することができる。
【００５８】
更に、本発明に係るビデオカメラ１は、使用者がハイアングルで撮影するときであっても、凹部２１と凹部２１の背面１１ｂ側の壁面とからなる角部３５に流れ込んだ水滴を、第２の排水孔２９から第２の底面排水孔３７に導き、それぞれ装置本体１１の外部に排水することができる。
【００５９】
〔４．変形例〕
なお、本発明に係るビデオカメラ１は、排水孔を、第１の傾斜面２５ａ及び第２の傾斜面２５ｂに形成することに限定されるものではなく、変曲部２５ｃに形成するようにしてもよい。また、本発明に係るビデオカメラ１は、排水孔を、第１の傾斜面２５ａだけに形成するようにしてもよく、第２の傾斜面２５ｂだけに形成するようにしてもよく、変曲部２５ｃだけに形成するようにしてもよい。更に、本発明に係るビデオカメラ１は、排水孔を、第１の傾斜面２５ａの角部３５に形成することに限定するものではなく、第１の傾斜面２５ａ上の他の位置に形成するようにしてもよい。
【００６０】
更に、本発明に係るビデオカメラ１は、凹部２１と閉塞板２２との間に排水口２４を設けずに、傾斜面２５に導かれた水滴を、第１の排水孔２８及び第２の排水孔２９から空間部２３の外部へ排水するようにしてもよい。
【００６１】
更に、本発明に係るビデオカメラ１は、装置本体１１の内部に冷却ファンを設け、装置本体１１の上部から強制放熱するようなものでもよい。
【００６２】
更に、本発明に係るビデオカメラ１は、メモリカードを記録媒体として用いるものに限定されるものではなく、磁気テープ、光ディスク、ハードディスク等のメモリカード以外の他の記録媒体を用いるようなものでもよい。
【００６３】
更に、本発明に係るビデオカメラ１は、肩に担ぐタイプのビデオカメラに限定されるものではなく、手持ちタイプ、据え置きタイプのビデオカメラでもよい。
【００６４】
更に、本発明に係る撮像装置は、ビデオカメラに限定されるものではなく、消費電力が大きくて発熱量が大きく、主に、屋外で使用されるようなものであれば如何なるものでもよく、デジタルスチルカメラ、銀塩フィルムを記録媒体とするカメラ等であってもよい。
【符号の説明】
【００６５】
１  ビデオカメラ、１０  レンズ部、１１  装置本体、１２  撮像レンズ、１３  ビューファインダ取付部、１４  放熱部、１５  取手部、１６  ショルダーパット、１７  三脚取付部、１８  バッテリー、１９  記録再生部、２０  放熱部品、２１  凹部、２２  閉塞板、２３  空間部、２４  排水口、２５  傾斜面、２５ａ  第１の傾斜面、２５ｂ  第２の傾斜面、２６  通気孔、２７  第１の立上がり壁、２８  第１の排水孔、２９  第２の排水孔、３０  締結部、３１  映像操作部、３２  取手取付部、３３  第１の排水パイプ、３４  第１の底面排水孔、３５  角部、３６  第２の排水パイプ、３７  第２の底面排水孔、３８  放熱孔、３９  第２の立上がり壁、４０  貫通孔、４１  操作窓、４２  露出口、４３  支持片
【図１】
0005487897.tif 000002
【図２】
0005487897.tif 000003
【図３】
0005487897.tif 000004
【図４】
0005487897.tif 000005
【図５】
0005487897.tif 000006
【図６】
0005487897.tif 000007
【図７】
0005487897.tif 000008